(57)【要約】【課題】外槽内が高温となっても外槽カバーの開口部の気密性を確保するとともに、槽カバーの意匠性の維持と、槽カバーの清掃性が向上する洗濯乾燥機を提供する。【解決手段】槽カバー１００は、開口部１１２を有する槽カバー本体１１０と、ヒンジにより回動し開口部１１２を閉塞可能な内蓋１５０と、を有し、槽カバー本体１１０は、外槽の外部に面した樹脂製の槽カバー本体表部材１２０と、外槽の内部に面した樹脂製の槽カバー本体裏部材１３０と、を有し、槽カバー本体裏部材１３０を形成する樹脂は、槽カバー本体表部材１２０を形成する樹脂よりも高い難燃性を有する。【選択図】図５
2014212811.tif 000002
【特許請求の範囲】
【請求項１】
筐体内に懸架される有底円筒形状の外槽と、
前記外槽の開口を覆う槽カバーと、を備える洗濯乾燥機であって、
前記槽カバーは、
開口部を有する槽カバー本体と、
ヒンジにより回動し前記開口部を閉塞可能な内蓋と、を有し、
前記槽カバー本体は、
前記外槽の外部に面した樹脂製の槽カバー本体表部材と、
前記外槽の内部に面した樹脂製の槽カバー本体裏部材と、を有し、
前記槽カバー本体裏部材を形成する樹脂は、前記槽カバー本体表部材を形成する樹脂よりも高い難燃性を有する
ことを特徴とする洗濯乾燥機。
【請求項２】
前記槽カバー本体は、前記槽カバー本体表部材と前記槽カバー本体裏部材との間に空隙を有して形成される
ことを特徴とする請求項１に記載の洗濯乾燥機。
【請求項３】
前記槽カバーは、前記外槽内に、高温の温風を吹き込むための風吹出部を有し、
前記槽カバー本体裏部材に、前記風吹出部から前記外槽内への風向を調整する整流フィンが形成される
ことを特徴とする請求項１に記載の洗濯乾燥機。
【請求項４】
前記槽カバー本体裏部材は、
前記開口部側端部付近で前記槽カバー本体表部材の方向に延びるように形成された起立部を有する
ことを特徴とする請求項２に記載の洗濯乾燥機。
【発明の詳細な説明】
【技術分野】
【０００１】
本発明は、洗濯乾燥機に関し、特に、縦型洗濯乾燥機の槽カバーの構造に関する。
【背景技術】
【０００２】
洗濯乾燥機は、洗い運転、すすぎ運転、脱水運転、乾燥運転を行えるようになっている。ここで、乾燥運転は、送風手段およびヒータにより温風を洗濯物に吹き当てて、洗濯物に含まれる水分を蒸発させることにより、洗濯物を乾燥させるようになっている。
【０００３】
例えば、特許文献１（特開２００４−３３４０９号公報）で開示された洗濯機では、槽カバーの中央部分から前部にわたってほぼ半円形状に大きく開口した開口部が形成され、この開口部の周縁部に、例えばアルミニウムやその合金等を含むアルミ部材からなる補強部材（補強板）が取り付けられている。また、樹脂製の表板とアルミ部材製の裏板の二重板構成からなる内蓋が設けられており、開口部を開放／閉塞することが可能となっている。そして、内蓋が開口部を閉塞した状態では、内蓋の外縁部に配設された蓋パッキンにより水槽内部が気密で且つ水密な状態となるようになっている。
【先行技術文献】
【特許文献】
【０００４】
【特許文献１】特開２００４−３３４０９号公報
【発明の概要】
【発明が解決しようとする課題】
【０００５】
このように、特許文献１で開示された洗濯機では、樹脂製の槽カバーの開口部の周縁部に金属製の補強部材を取り付け、樹脂製の表板に空隙を設けて金属製の裏蓋を取り付けて内蓋とすることにより、外槽内が高温となっても、槽カバーの開口部の気密性を確保することができるようになっている。なお、外槽内が高温となっても気密性を確保することにより、例えば、乾燥運転により外槽内の空気が高温・高湿となった場合であっても、気密性を確保することにより高温・高湿空気が外槽の外に漏れないようにして、洗濯乾燥機の設置された室内環境の湿度を上昇させないようになっている。
【０００６】
ところで、金属製の補強部材は、槽カバーの開口部の周縁部に取り付けられているため、水分、洗剤、埃等が付着しやすい。このため、アルマイト処理等の防錆処理を行っても、金属製の補強部材が錆びてしまうおそれがある。この金属製の補強部材は、槽カバーの開口部から洗濯物を出し入れする際にユーザによって目視可能な位置に取り付けられているため、金属製の補強部材に錆が生じると、見た目が悪くなり、意匠性を損なってしまう。
【０００７】
また、金属製の補強部材は槽カバーの上面に取り付けられているため、金属製の補強部材と槽カバーとの合わせ部間に溝が生じる。このような溝があると、洗剤、埃等が入り込むおそれがあり、清掃性が悪い。
【０００８】
そこで、本発明は、外槽内が高温となっても外槽カバーの開口部の気密性を確保するとともに、槽カバーの意匠性の維持と、槽カバーの清掃性が向上する洗濯乾燥機を提供することを課題とする。
【課題を解決するための手段】
【０００９】
このような課題を解決するために、本発明は、筐体内に懸架される有底円筒形状の外槽と、前記外槽の開口を覆う槽カバーと、を備える洗濯乾燥機であって、前記槽カバーは、開口部を有する槽カバー本体と、ヒンジにより回動し前記開口部を閉塞可能な内蓋と、を有し、前記槽カバー本体は、前記外槽の外部に面した樹脂製の槽カバー本体表部材と、前記外槽の内部に面した樹脂製の槽カバー本体裏部材と、を有し、前記槽カバー本体裏部材を形成する樹脂は、前記槽カバー本体表部材を形成する樹脂よりも高い難燃性を有することを特徴とする。
【発明の効果】
【００１０】
本発明によれば、外槽内が高温となっても外槽カバーの開口部の気密性を確保するとともに、槽カバーの意匠性の維持と、槽カバーの清掃性が向上する洗濯乾燥機を提供することができる。
【図面の簡単な説明】
【００１１】
【図１】本実施形態に係る洗濯乾燥機の概略構成を示す模式図である。
【図２】外槽および外槽に取り付けられた槽カバーの斜視図である。
【図３】本実施形態に係る槽カバーの表面側から見た斜視図である。
【図４】本実施形態に係る槽カバーの裏面側から見た斜視図である。
【図５】本実施形態に係る槽カバーのＡ−Ａ線で切断した部分断面図である。
【図６】比較例に係る槽カバーを表面側から見た斜視図である。
【図７】比較例に係る槽カバーを裏面側から見た斜視図である。
【図８】比較例に係る槽カバーをＢ−Ｂ線で切断した部分断面図である。
【発明を実施するための形態】
【００１２】
以下、本発明を実施するための形態（以下「実施形態」という）について、適宜図面を参照しながら詳細に説明する。なお、各図において、共通する部分には同一の符号を付し重複した説明を省略する。
【００１３】
≪洗濯乾燥機≫
まず、本実施形態に係る洗濯乾燥機１について、図１を用いて説明する。図１は、本実施形態に係る洗濯乾燥機１の概略構成を示す模式図である。
【００１４】
図１に示すように、洗濯乾燥機１は、筐体２と、外槽３と、内槽４と、送風手段５と、除湿ダクト６（水冷除湿機構）と、第１蛇腹管７と、第２蛇腹管８と、回転翼９と、モータ１０と、バルブ１１と、オーバーフロー管１２と、排水管１３と、給水ユニット１４と、給水ポート１５と、切替バルブ１６と、第３蛇腹管１７と、第４蛇腹管１８と、第５蛇腹管１９と、槽カバー１００と、を備えている。
【００１５】
筐体２は、上部に筐体開口部２ａを開閉可能な外蓋２ｂを有し、略四角形の筒形状を呈している。筐体２内には、外槽３が備わる。外槽３は、複数の懸架手段（図示せず）によって筐体２から懸架されている。懸架手段（図示せず）は、外槽３または筐体２に生じた振動によって伸縮し、その振動の運動エネルギを熱エネルギに変換し、その振動を制振させることができる。
【００１６】
外槽３は、有底の円筒形状を呈しており、外槽３の上部開口が槽カバー１００で覆われている。槽カバー１００には、洗濯物を出し入れするための開口部１１２が設けられ、開口部１１２は蓋体としての内蓋１５０が開閉可能に設けられている。内蓋１５０を閉めることで外槽３は、密閉可能となっている。なお、槽カバー１００の詳細については、図２から図５を用いて後述する。
【００１７】
また、外槽３の下面には、モータ１０とクラッチ１０ａとが設けられている。モータ１０は、同軸で異径（大径と小径）の回転軸を有している。クラッチ１０ａは、回転軸を切換えるものである。
【００１８】
さらに、外槽３の下面には、排水口３ｂが設けられている。排水口３ｂには、排水管１３が接続されている。排水管１３には、バルブ１１が設けられている。これにより、外槽３に水を溜めることができ、洗濯やすすぎが可能となっている。また、排水管１３を通じて外槽３に溜めた水を排水することができ、排水管１３を通じて脱水した水を排水することができる。
【００１９】
外槽３内には、内槽４が収容されている。内槽４は、有底の円筒形状を呈している。内槽４の側壁と底には貫通孔４ａが多数設けられている。内槽４の側壁の上部には流体のバランサ４ｂが設けられている。内槽４は、その底において、モータ１０の大径の回転軸に支持されることで、回転自在になっている。
【００２０】
これにより、脱水時に、内槽４を回転させて洗濯物を脱水することができる。内槽４の底部には、回転翼９が設けられている。回転翼９には上下に貫通する貫通孔９ａが多数設けられている。回転翼９は、モータ１０の小径の回転軸に支持されることで、回転自在になっている。これにより、洗濯やすすぎ時に、回転翼９を回転させて水を洗濯物ごと攪拌することができる。
【００２１】
送風手段５は、筐体２に支持されており、送風手段５の荷重が筐体２にかかる構造とされている。これにより、送風手段５の荷重が外槽３に作用することがなく、脱水時に、内槽４が高速回転して、外槽３で振動が発生したとしても、外槽３に支持されていない送風手段５は振動しない構成となっている。
【００２２】
なお、外槽３を含め外槽３とともに振動する部材（懸架手段（図示せず）によって筐体２から懸架されている部材）のトータルの荷重が小さいほど、外槽３は振動し難い傾向にあり、本実施形態では、送風手段５が、筐体２に支持され外槽３に支持されていない構成となっているので、外槽３とともに振動する部材のトータルの荷重が小さくなり、外槽３の振動を好適に抑制することが可能である。
【００２３】
送風手段５は、筐体２内の上部に配置されており、外槽３の上方に位置している。送風手段５は、風を発生させるファン５ｂと、そのファン５ｂを収納するファンケース５ｆと、ファン５ｂを回動させるモータ５ａと、送風手段５（ファンケース５ｆ）から出る空気（洗濯物を乾かすための空気）を温めるヒータ５ｃ（ＰＴＣヒータ）と、そのヒータ５ｃを収納するヒータケース５ｇと、送風手段５（ファンケース５ｆ）に入る空気（風）からリント（糸屑等）を除去するフィルタ５ｄと、そのフィルタ５ｄを収納するフィルタケース５ｅを有している。
【００２４】
ここで、フィルタケース５ｅとファンケース５ｆとは連結（連通）され、また、ファンケース５ｆとヒータケース５ｇとは連結（連通）されている。また、フィルタケース５ｅと第１蛇腹管７とは連結（連通）され、第１蛇腹管７と除湿ダクト６とは連結（連通）されている。そして、ヒータケース５ｇと第２蛇腹管８とは連結（連通）され、第２蛇腹管８と外槽３内（内槽４）とは連結（連通）されている。これにより、送風手段５内には、フィルタケース５ｅからファンケース５ｆに通じ、ファンケース５ｆからヒータケース５ｇに通じる通風路が形成される。そして、通風路には、ヒータ５ｃが配置され、通風路における空気の流れ方向においてヒータ５ｃの上流側にはフィルタ５ｄが配置されている。つまり、フィルタ５ｄによってリントの除去された空気がファン５ｂを介してヒータ５ｃに流入するようになっており、ヒータ５ｃにより温められた空気（温風）が送り出されるように構成されている。
【００２５】
除湿ダクト６は、外槽３と一体に設けられており、外槽３の側壁３ｃが、除湿ダクト６の一部を兼ねている。除湿ダクト６の下端部は、排気口３ａを通じて外槽３と連通しており、外槽３と除湿ダクト６の間に水が貯溜しないようになっている。これにより、洗濯時にはその分の洗濯水を減らすことができ、また、乾燥時には、その分の水を乾燥させるエネルギを省くことができる。
【００２６】
除湿ダクト６は、排気口３ａから側壁３ｃ上を外槽３の上部へ延び、送風手段５（フィルタケース５ｅ）の近傍に達している。除湿ダクト６は、除湿ダクト６内に水を供給する水供給部６ａと、その水を除湿ダクト６内の雰囲気（空気）に露出させながら流す流下部６ｂとを有している。その水は空気に触れることで、空気を冷却して空気中の水分を取ること、すなわち、除湿することができる。なお、流下部６ｂは、水の表面積を大きくするための凹凸を有している。また、流下部６ｂは、除湿ダクト６の壁面を兼ねていてもよい。また、外槽３の排気口３ａは、排水口３ｂより高い位置に設けられており、流下部６ｂを下った水は、排気口３ａを経由して排水口３ｂから排水される。また、除湿ダクト６の上部には、オーバーフロー管１２の一端が接続され、オーバーフロー管１２の他端は、排水管１３に接続されている。
【００２７】
第１蛇腹管７は、除湿ダクト６の上部（槽カバー１００の水冷除湿機構側接続部１１４）と、送風手段５（フィルタケース５ｅ）とを連通する管である。また、第２蛇腹管８は、送風手段５（ヒータケース５ｇ）と、外槽３の上部（槽カバー１００の風吹出部１１５）とを連通する管である。
【００２８】
これにより、乾燥時には、第１蛇腹管７から送風手段５に空気が取り込まれ、送風手段５を経由して第２蛇腹管８から外槽３内の上部へ空気（温風）が送出される。外槽３内に送出された空気は、内槽４内の上部から内槽４内に送られ、洗濯物から水分を奪いつつ、貫通孔４ａから出て外槽３の下部に流れる。そして、その空気は外槽３の下部にある排気口３ａから外槽３を出て除湿ダクト６に入り、除湿ダクト６内を上昇しながら冷却されて水分を奪われ（水冷除湿され）、除湿ダクト６の上部から第１蛇腹管７を介して送風手段５に再び吸引される。
【００２９】
このように、空気は、密閉された経路（密閉循環経路）を循環しながら、内槽４内で洗濯物から水分を奪い、除湿ダクト６内で水分を奪われることで、洗濯物を乾燥させるように作用する。なお、送風手段５に連結される第１蛇腹管７および第２蛇腹管８は、外槽３の振動等に追従して変形することができるので、この密閉循環経路における密閉（気密）性が確保されている。
【００３０】
なお、前記変形により、第１蛇腹管７および第２蛇腹管８には弾性力（バネ力）が生じることとなるが、この弾性力（バネ力）は、外槽３に対してその振動（振幅）を抑制する方向に作用する。例えば、外槽３に対して、その周方向および径方向に振動する振動が発生すると、その振幅は、外槽３の径方向の外側ほど大きくなる。すなわち、外槽３の径方向外側に位置する第１蛇腹管７の振幅は大きくなりやすく、その振幅に応じて生じる第１蛇腹管７の弾性力（バネ力）も大きくすることができる。したがって、第１蛇腹管７によって外槽３に生じる振動を効果的に抑制することが可能である。
【００３１】
また、第１蛇腹管７と第２蛇腹管８との２つの蛇腹管は、外槽３の周方向および径方向において、相互に配置される位置が異なっている。これにより、うねるような振動に対して、弾性力（バネ力）のピーク時をずらして生じさせることができ、これによって、外槽３に生じる振動を効果的に抑制することが可能となっている。
【００３２】
また、前記したように、送風手段５は、筐体２に支持されているので、第１蛇腹管７と第２蛇腹管８とによって外槽３（槽カバー１００）と外槽３の除湿ダクト６に接続されている構造でありながら、送風手段５の荷重が、外槽３や除湿ダクト６に直接作用することがないので、外槽３とともに振動する部材のトータルの荷重を小さくでき、外槽３の振動を好適に抑制することができる。これにより、内槽４を高速回転することができる。具体的に、内槽４は、従来９００ｒｐｍ程度で回転していたが、本実施形態の構造により、１０００ｒｐｍ以上の高速回転が可能になり、さらに、１１００ｒｐｍ以上の高速回転も可能になった。これにより、脱水性能が向上し、乾燥に要するエネルギを低減することができる。また、乾燥および脱水に要する時間を短縮することができる。
【００３３】
送風手段５の側方には、給水ユニット１４が設けられている。給水ユニット１４は、水道の蛇口等に接続される給水ポート１５と、その給水ポート１５に接続する切替バルブ１６と、切替バルブ１６と外槽３内に給水する槽カバー１００の外槽内給水口１１３とを接続する給水経路上に設けられた第３蛇腹管１７と、切替バルブ１６と槽カバー１００の外周水路１１７に給水する外周給水口１１６とを接続する給水経路上に設けられた第４蛇腹管１８と、切替バルブ１６と除湿ダクト６の水供給部６ａとを接続する給水経路上に設けられた第５蛇腹管１９と、を有している。
【００３４】
切替バルブ１６は、給水ポート１５から入った水を、外槽内給水口１１３、外周給水口１１６、または、水供給部６ａに流したり、止めたりすることができるようになっている。
【００３５】
ちなみに、外周水路１１７に給水された水は、散水口１１７ａから内槽４のバランサ４ｂに散水され、内槽４の外側面および外槽３の内側面を洗浄することができるようになっている。このような構成は、例えば、特開２０１２−２２３３５９号公報に記載されており、詳細な説明は省略する。
【００３６】
なお、給水ユニット１４の給水ポート１５および切替バルブ１６は、送風手段５または筐体２に支持されている。切替バルブ１６は、外槽３を含め外槽３とともに振動する部材（懸架手段（図示せず）によって筐体２から懸架されている部材）と蛇腹管（第３蛇腹管１７、第４蛇腹管１８、第５蛇腹管１９）で接続されているので、外槽３に生じる振動を効果的に抑制することができる。
【００３７】
≪本実施形態に係る槽カバー１００≫
次に、本実施形態に係る洗濯乾燥機１が備える槽カバー１００について、図２から図５を用いて説明する。図２は、外槽３および外槽３に取り付けられた槽カバー１００の斜視図である。図３は、本実施形態に係る槽カバー１００の表面側から見た斜視図である。図４は、本実施形態に係る槽カバー１００の裏面側から見た斜視図である。図５は、本実施形態に係る槽カバー１００のＡ−Ａ線で切断した部分断面図である。
【００３８】
図２に示すように、有底の円筒形状を呈する外槽３の上部開口は、槽カバー１００で覆われている。具体的には、図４に示す槽カバー１００（槽カバー本体１１０、槽カバー本体表部材１２０）の外周部に形成された外槽嵌合部１１１が、外槽３の上部開口端部と嵌合してネジ止めされている。
【００３９】
図３に示すように、槽カバー１００は、中央部分から前側にわたって略半円状（後ろ側を直線状に形成した略半円状）に大きく開口した開口部１１２（図４参照）が形成された槽カバー本体１１０と、開口部１１２を密閉可能な内蓋１５０と、内蓋１５０が開口部１１２を閉塞する位置および内蓋１５０が開口部１１２を開放する位置の間で内蓋１５０が回動可能なように内蓋１５０を槽カバー本体１１０に取り付けるヒンジ部１６０と、内蓋１５０が開口部１１２を密閉する位置で内蓋１５０を固定するロック部１７０と、を備えている。
【００４０】
また、槽カバー１００の槽カバー本体１１０には、第３蛇腹管１７（図１参照）と接続される外槽内給水口１１３と、第１蛇腹管７（図１参照）と接続される水冷除湿機構側接続部１１４と、第２蛇腹管８（図１参照）と接続される風吹出部１１５と、第４蛇腹管１８（図１参照）と接続される外周給水口１１６と、が形成されている。
【００４１】
＜槽カバー本体１１０＞
槽カバー本体１１０は、非難燃性樹脂であるＰＰ（Polypropylene：ポリプロピレン）樹脂で形成された槽カバー本体表部材１２０（図３参照）と、難燃性の樹脂であるＰＢＴ（Polybutylene terephthalate：ポリブチレンテレフタレート）樹脂で形成された槽カバー本体裏部材１３０（図４参照）と、を有している。図５に示すように、槽カバー本体裏部材１３０は、槽カバー本体表部材１２０と槽カバー本体裏部材１３０との間に空隙１１８を形成するようにして、槽カバー本体表部材１２０にネジ１１９で固定されている。
【００４２】
図５に示すように、槽カバー本体表部材１２０の開口部１１２の周辺の上側面には、第１平坦部１２１と、第１平坦部１２１よりも内周側（開口部１１２の側）であり、内蓋１５０と当接する第２平坦部１２２と、第１平坦部１２１よりも外周側（槽カバー本体１１０の外周側）であり、外周側に向かって下がるように傾斜する傾斜部１２３と、が形成されている。また、槽カバー本体表部材１２０の内周側端部である周縁部１２４が第２平坦部１２２から下方向に延びるように形成されることにより、開口部１１２が形成されている。また、第１平坦部１２１と第２平坦部１２２との境界の裏面側には、補強リブ１２５が形成されている。
【００４３】
図４に示すように、槽カバー本体裏部材１３０は槽カバー本体表部材１２０の裏面を覆うように取り付けられ、風吹出部１１５の整流フィン１１５ａと、外槽内給水口１１３の整流部１１３ａと、が一体に形成されている。
【００４４】
また、図５に示すように、槽カバー本体裏部材１３０と槽カバー本体表部材１２０の間で外周水路１１７が形成されるようになっている。これにより、槽カバー本体１１０の外周給水口１１６（図３参照）と、外周水路１１７（図４，５参照）と、散水口１１７ａ（図４参照）とが、連通するようになっている。
【００４５】
また、図５に示すように、槽カバー本体裏部材１３０は、下側から見て槽カバー本体表部材１２０を覆うように形成された平坦部１３１と、槽カバー本体裏部材１３０の内周側端部付近で上方向に延びるように形成された起立部１３２と、を有しており、起立部１３２が、槽カバー本体表部材１２０の周縁部１２４と補強リブ１２５の間に配置されるようになっている。
【００４６】
＜内蓋１５０＞
内蓋１５０は、非難燃性樹脂であるＰＰ樹脂で形成された内蓋本体部材１５１（図３参照）と、不燃材であるＳＵＳ（Steel Use Stainless：ステンレス鋼）で形成された内蓋補助部材１５２（図４参照）と、を有している。図５に示すように、内蓋補助部材１５２は、内蓋本体部材１５１と内蓋補助部材１５２との間に空隙１５４を形成するようにして、内蓋本体部材１５１にネジ１５５（図４参照）で固定されている。内蓋本体部材１５１の後方側は、ヒンジ部１６０を介して、槽カバー本体１１０に回動可能なように取り付けられている。内蓋本体部材１５１の前方側には、ロック部１７０が設けられている。
【００４７】
内蓋１５０の外縁部には、開口部１１２の形状に沿うようにシール部材（内蓋パッキン）１５３が設けられており、内蓋本体部材１５１と内蓋補助部材１５２との間で挟持されて取り付けられている。内蓋１５０が開口部１１２を閉塞する位置とすると、シール部材１５３が開口部１１２の周縁部１２４と圧接して、外槽３の内部を気密な状態とすることができるようになっている。
【００４８】
≪比較例に係る槽カバー１００Ｃ≫
ここで、比較例に係る槽カバー１００Ｃについて、図６から図８を用いて説明する。図６は、比較例に係る槽カバー１００Ｃを表面側から見た斜視図である。図７は、比較例に係る槽カバー１００Ｃを裏面側から見た斜視図である。図８は、比較例に係る槽カバー１００ＣをＢ−Ｂ線で切断した部分断面図である。
【００４９】
図６に示すように、槽カバー１００Ｃは、中央部分から前側にわたって略半円状（後ろ側を直線状に形成した略半円状）に大きく開口した開口部１１２（図７参照）が形成された槽カバー本体１１０Ｃと、開口部１１２を密閉可能な内蓋１５０と、内蓋１５０が開口部１１２を閉塞する位置および内蓋１５０が開口部１１２を開放する位置の間で内蓋１５０が回動可能なように内蓋１５０を槽カバー本体１１０に取り付けるヒンジ部１６０と、内蓋１５０が開口部１１２を密閉する位置で内蓋１５０を固定するロック部１７０と、を備えている。即ち、本実施形態に係る槽カバー１００（図３から図５参照）と、比較例に係る槽カバー１００Ｃ（図６から図８参照）とは、槽カバー本体１１０Ｃの構成が異なっている。その他の構成は同様であり、説明を省略する。
【００５０】
槽カバー本体１１０Ｃは、非難燃性樹脂であるＰＰ樹脂で形成された槽カバー本体表部材１２０Ｃ（図６参照）と、不燃材であるＳＵＳで形成された槽カバー補助部材１４０Ｃ（図６参照）と、非難燃性樹脂であるＰＰ樹脂で形成された水路部材１４５Ｃ（図７参照）と、難燃性の樹脂であるＰＢＴ樹脂で形成された整流フィン１１５ａを有する耐熱フィン部材１４６Ｃ（図７参照）と、を有している。
【００５１】
図８に示すように、槽カバー本体表部材１２０Ｃの開口部１１２の周辺の上側面には、ＳＵＳで形成された槽カバー補助部材１４０Ｃがネジ止めされている。このように、槽カバー本体表部材１２０Ｃと槽カバー補助部材１４０Ｃを組み合せるため、合わせ部に溝１２１Ｃ，１２２Ｃが形成される。
【００５２】
図７に示すように、外槽内給水口１１３の整流部１１３ａは、槽カバー本体１１０Ｃと一体に形成される。一方、高温の温風が通過する風吹出部１１５の整流フィン１１５ａは、ＰＢＴ樹脂で形成された耐熱フィン部材１４６Ｃに形成され、槽カバー本体１１０Ｃにネジ止めされている。また、図８に示すように、水路部材１４５Ｃと槽カバー本体表部材１２０Ｃの間で外周水路１１７が形成されるようになっている。
【００５３】
≪作用・効果≫
本実施形態に係る槽カバー１００を備える洗濯乾燥機１の作用および効果について、本実施形態に係る槽カバー１００（図３〜図５参照）と、比較例に係る槽カバー１００Ｃ（図６〜図８参照）と、を対比しつつ説明する。
【００５４】
本実施形態に係る槽カバー１００は、内蓋１５０を内蓋本体部材１５１と内蓋補助部材１５２との間に空隙１５４を設けた二層構造とすることにより、外槽内が高温となっても、内蓋補助部材１５２から内蓋本体部材１５１への熱伝導を低減して、内蓋本体部材１５１の温度上昇を低減することができる。なお、内蓋補助部材１５２は不燃材であるＳＵＳで形成され、外槽内が高温となっても変形等しないようになっている。
【００５５】
また、本実施形態に係る槽カバー１００は、槽カバー本体１１０を槽カバー本体表部材１２０と槽カバー本体裏部材１３０との間に空隙１１８を設けた二層構造とすることにより、外槽内が高温となっても、槽カバー本体裏部材１３０から槽カバー本体表部材１２０への熱伝導を低減して、槽カバー本体表部材１２０の温度上昇を低減することができる。なお、槽カバー本体表部材１２０は難燃性の樹脂であるＰＢＴ樹脂で形成され、ＰＰ樹脂よりも軟化点（軟化温度）が高く、外槽内が高温となっても変形等しないようになっている。
【００５６】
このような構造により、本実施形態に係る槽カバー１００は、外槽内が高温となっても、槽カバー１００の開口部１１２周辺の部材の変形を抑制し、槽カバー１００の開口部１１２の気密性を確保することができるようになっている。
【００５７】
また、槽カバー本体裏部材１３０には、起立部１３２が設けられており、槽カバー本体表部材１２０が加熱され開口部１１２の周縁部１２４が下がるように変形した場合でも、起立部１３２により周縁部１２４を係止して、変形を抑制することができるようになっている。これにより、槽カバー１００の開口部１１２の気密性を確保することができるようになっている。
【００５８】
一方、比較例に係る槽カバー１００Ｃは、ＳＵＳで形成された槽カバー補助部材１４０Ｃにより、槽カバー１００Ｃの開口部１１２周辺の部材の変形を抑制し、槽カバー１００Ｃの開口部１１２の気密性を確保することができるようになっている。しかしながら、槽カバー補助部材１４０Ｃは、槽カバー１００Ｃの開口部１１２の周縁に取り付けられているため、水分、洗剤、埃等が付着しやすい。このため、洗濯乾燥機１を使用し続けると、ＳＵＳ製の槽カバー補助部材１４０Ｃが錆びてしまうおそれがある。この槽カバー補助部材１４０Ｃは、槽カバー１００Ｃの開口部１１２から洗濯物を出し入れする際にユーザによって目視可能な位置に取り付けられているため、槽カバー補助部材１４０Ｃに錆が生じると、見た目が悪くなり、意匠性を損なってしまう。
【００５９】
これに対し、本実施形態に係る槽カバー１００は、槽カバー本体表部材１２０の開口部１１２の周辺の上側面にＳＵＳ製の部材を設けていないので、錆による意匠性の低下を防止することができる。
【００６０】
また、比較例に係る槽カバー１００Ｃは、槽カバー本体表部材１２０Ｃとの上側面に槽カバー補助部材１４０Ｃを取り付けるため、合わせ部に溝１２１Ｃ，１２２Ｃが形成される。このような溝があると、洗剤、埃等が入り込むおそれがあり、清掃性が悪くなる。
【００６１】
これに対し、本実施形態に係る槽カバー１００は、槽カバー本体１１０の上面側は槽カバー本体表部材１２０のみで構成され、洗剤、埃等が付着しても、入り込む溝がないため、容易に清掃することができ、清掃性がよい。
【００６２】
また、比較例に係る槽カバー１００Ｃの槽カバー本体１１０Ｃは、槽カバー本体表部材１２０Ｃに、３つの部材（槽カバー補助部材１４０Ｃ、水路部材１４５Ｃ、耐熱フィン部材１４６Ｃ）を取り付ける工程を経て作成される。これに対し、本実施形態に係る槽カバー１００の槽カバー本体１１０は、槽カバー本体表部材１２０に１つの部材（槽カバー本体裏部材１３０）を取り付ける工程を経て作成される。このように、組み付け工程を少なくすることで生産性が向上する。
【００６３】
ちなみに、槽カバー本体（槽カバー本体表部材）を全て難燃性のＰＢＴで形成することにより、ＳＵＳ製の部材を排除しつつ、槽カバーの開口部の気密性を確保するという方法も考えられる。しかし、ＰＢＴはＰＰよりも比重が重いため、槽カバーが重くなる。即ち、外槽３を含め外槽３とともに振動する部材（懸架手段（図示せず）によって筐体２から懸架されている部材）のトータルの荷重が重くなり、脱水時等に振動が大きくなるおそれがある。これに対し、本実施形態に係る槽カバー１００は、主要な部分である槽カバー本体表部材１２０をＰＰで形成し、外槽３の内部に面する裏面をＰＢＴで形成された槽カバー本体裏部材１３０で保護するので、全て難燃性のＰＢＴで形成する場合と比較して、軽量化することができ、外槽３の振動を小さくすることができる。
【００６４】
また、ＰＢＴは、強アルカリに犯される特性を有する。このため、アルカリ性洗剤等が付着すると変色等して意匠性が悪くなるおそれがある。これに対し、本実施形態に係る槽カバー１００は、槽カバー本体１１０の上面側である槽カバー本体表部材１２０および内蓋１５０の上面側である内蓋本体部材１５１がアルカリ耐性を有するＰＰで形成されるため、意匠性が悪くなることを防止することができる。
【００６５】
また、外槽内が高温となった場合、槽カバー本体表部材１２０と槽カバー本体裏部材１３０との間に形成されている外周水路１１７に給水して槽カバー本体表部材１２０や槽カバー本体裏部材１３０を冷却し、熱変形を抑制してもよい。
【００６６】
≪変形例≫
なお、本実施形態に係る洗濯乾燥機１は、上記実施形態の構成に限定されるものではなく、発明の趣旨を逸脱しない範囲内で種々の変更が可能である。
【００６７】
本実施形態に係る槽カバー１００の槽カバー本体裏部材１３０は、難燃性の樹脂であるＰＢＴ（Polybutylene terephthalate：ポリブチレンテレフタレート）樹脂で形成されるものとして説明したが、これに限られるものではなく、その他の難燃性の樹脂を用いてもよい。ここで、槽カバー本体裏部材１３０に用いる難燃性の樹脂としては、アメリカ保険業者安全試験所（Underwriters Laboratories Inc.）が定める燃焼性試験の規格（ＵＬ９４）において、難燃性のグレードがＵＬ９４ＨＢ以上（UL94HB,UL94V-2,UL94V-1,UL94V-0,UL94-5VB,UL94-5VA）であることが望ましく、自己消火性を有するＵＬ９４Ｖ−２以上（UL94V-2,UL94V-1,UL94V-0,UL94-5VB,UL94-5VA）がより望ましい。
【００６８】
本実施形態に係る槽カバー１００の槽カバー本体表部材１２０および内蓋本体部材１５１は、非難燃性の樹脂であるＰＰ（Polypropylene：ポリプロピレン）樹脂で形成されるものとして説明したが、これに限られるものではなく、その他の非難燃性の樹脂を用いてもよく、難燃性の樹脂を用いてもよい。
【００６９】
本実施形態に係る槽カバー１００の内蓋補助部材１５２は、不燃材であるＳＵＳ（Steel Use Stainless：ステンレス鋼）で形成されるものとして説明したが、これに限られるものではなく、その他の不燃材、例えば、アルミニウムやアルミニウム合金などを用いてもよい。
【００７０】
第４蛇腹管１８、外周給水口１１６、外周水路１１７、散水口１１７ａにより構成される散水口１１７ａから内槽４のバランサ４ｂに散水して内槽４の外側面および外槽３の内側面を洗浄する機構は、必須の構成ではなく、なくてもよい。
【符号の説明】
【００７１】
１          洗濯乾燥機
２          筐体
３          外槽
４          内槽
５          送風手段
５ａ        モータ
５ｂ        ファン
５ｃ        ヒータ
６          除湿ダクト
１４        給水ユニット
１００      槽カバー
１１０      槽カバー本体
１１１      外槽嵌合部
１１２      開口部
１１３      外槽内給水口
１１４      水冷除湿機構側接続部
１１５      風吹出部
１１５ａ    整流フィン
１１８      空隙
１２０      槽カバー本体表部材
１３０      槽カバー本体裏部材
１３２      起立部
１５０      内蓋
１５１      内蓋本体部材
１５２      内蓋補助部材
１５３      シール部材
１５４      空隙
１６０      ヒンジ部（ヒンジ）
１７０      ロック部
【図１】
2014212811.tif 000003
【図２】
2014212811.tif 000004
【図３】
2014212811.tif 000005
【図４】
2014212811.tif 000006
【図５】
2014212811.tif 000007
【図６】
2014212811.tif 000008
【図７】
2014212811.tif 000009
【図８】
2014212811.tif 000010